(57)【要約】【課題】異なる波長の３つのレーザ光が一つの半導体レーザから出射される場合に、光検出器の受光面上において、各波長のレーザ光のスポット径を大きくすることが可能な光ピックアップ装置を提供する。【解決手段】半導体レーザ１０１は、発光部１０１ａ、１０１ｂ、１０１ｃを同一パッケージ内に収容するとともに、ＢＤ光、ＤＶＤ光およびＣＤ光を同一方向に出射する。ＤＯＥ１０９は、開口数が最も大きいＢＤ光とその次に開口数が大きいＤＶＤ光が光検出器１１１上において重なるようにＢＤ光の光軸をＤＶＤ光の光軸に一致させる。これにより、光検出器１１１のセンサのサイズを大きくすることができ、各レーザ光のスポット径を大きくすることができる。【選択図】図１
2015109117.tif 000002
【特許請求の範囲】
【請求項１】
第１のレーザ光を出射する第１のレーザ発光部と、第２のレーザ光を出射する第２のレーザ発光部と、第３のレーザ光を出射する第３のレーザ発光部を同一パッケージ内に収容するとともに、前記第１、第２および第３のレーザ発光部から同一方向に前記レーザ光を出射するレーザ光源と、
前記第１、第２および第３のレーザ発光部からそれぞれ出射された前記第１、第２および第３のレーザ光を第１、第２および第３の開口数でそれぞれに対応するディスク上に収束させるとともに、前記ディスクによって反射された前記各レーザ光を光検出器に導く光学系と、
前記光学系に配置され、前記光検出器の受光面上において前記第１のレーザ光と前記第２のレーザ光の光軸を一致させる光軸調整素子と、を備え、
前記第１、第２および第３の開口数のうち、前記第１の開口数が最も大きく前記第３の開口数が最も小さく、
前記光検出器は、前記光軸調整素子によって光軸が一致された第１および第２のレーザ光を受光する第１のセンサ部と、前記第３のレーザ光を受光する第２センサ部とを有する、
ことを特徴とする光ピックアップ装置。
【請求項２】
請求項１に記載の光ピックアップ装置において、
前記各レーザ発光部は、前記第１のレーザ発光部、前記第２のレーザ発光部、前記第３のレーザ発光部の順で、直線状に並んで配置されている、
ことを特徴とする光ピックアップ装置。
【請求項３】
請求項１または２に記載の光ピックアップ装置において、
前記第１および第２のセンサ部は、それぞれ、方形状の輪郭を有する第１および第２の４分割センサである、
ことを特徴とする光ピックアップ装置。
【請求項４】
請求項３に記載の光ピックアップ装置において、
前記第１、第２の４分割センサの大きさと前記第１、第２および第３のレーザ光のスポット径が、以下に規定される条件が満たされるように設計されている、
ことを特徴とする光ピックアップ装置。
Ｂ’≧ＬＢ／２＋ＬＣ／２
Ｂ’＝ｂ’×Ｓｉｎθ
φＢ：φＤ：φＣ＝α：β：γ
ＬＢ＝２φＢ／√２
ＬＣ＝２φＣ／√２
ただし、上記式において、ｂ’は、前記光検出器上における前記第２レーザ光の受光中心から前記第３レーザ光の受光中心までの距離である。θは、前記第１、第２の４分割センサのディスクタンジェンシャル方向に対応する方向に平行な分割線と前記第１、第２の４分割センサの並び方向との間の角度である。また、φＢは、前記第１のレーザ光の受光面上におけるスポット径であり、φＤは、前記第２のレーザ光の受光面上におけるスポット径であり、φＣは、前記第３のレーザ光の受光面上におけるスポット径である。また、α、β、γは、第１、第２および第３のレーザ光の受光面上におけるスポット径の比である。さらに、ＬＢは、前記第１の４分割センサのディスクタンジェンシャル方向に対応する方向に垂直な方向の長さであり、ＬＣは、前記第２の４分割センサのディスクタンジェンシャル方向に対応する方向に垂直な方向の長さである。
【請求項５】
請求項１ないし４の何れか一項に記載の光ピックアップ装置において、
前記光軸調整素子は、波長選択性の回折格子からなっている、
ことを特徴とする光ピックアップ装置。
【請求項６】
請求項１ないし５の何れか一項に記載の光ピックアップ装置において、
前記第１、第２および第３のレーザ光のうち、前記第１のレーザ光は、波長が最も短く、前記第３のレーザ光は、波長が最も長い、
ことを特徴とする光ピックアップ装置。
【発明の詳細な説明】
【技術分野】
【０００１】
本発明は、複数の記録媒体に対応した光ピックアップ装置に関する。
【背景技術】
【０００２】
従来、複数の記録媒体に対応した互換型の光ピックアップ装置が開発されている。かかる光ピックアップ装置では、異なる波長のレーザ光を用いて情報の読み書きが行われる。この種の光ピックアップ装置で用いられる半導体レーザとして、異なる波長の３つのレーザ光を出射する３波長レーザが知られている。かかる３波長レーザでは、たとえば、同一パッケージに設置された異なる２つの基板上に、それぞれ、２つの発光部と１つの発光部が形成される（たとえば、特許文献１）。
【先行技術文献】
【特許文献】
【０００３】
【特許文献１】特開２０１１−１４１９３７号公報
【発明の概要】
【発明が解決しようとする課題】
【０００４】
上記３波長レーザを用いる場合、たとえば、各波長に対応する受光部が、発光部と同じ順番で１列に並ぶように、光検出器上に配置される。この場合、各波長の受光部は、受光部間の間隔に応じて、受光面積が制限される。経年変化等による受光部や光ピックアップ装置を構成する各光学部品の位置ずれ等を考慮すると、受光部上のスポット径は、なるべく大きい方が望ましい。
【０００５】
本発明は、かかる課題に鑑みてなされたものであり、異なる波長の３つのレーザ光が一つの半導体レーザから出射される場合に、光検出器の受光面上において、各波長のレーザ光のスポット径を大きくすることが可能な光ピックアップ装置を提供することを目的とする。
【課題を解決するための手段】
【０００６】
本発明の主たる態様は、光ピックアップ装置に関する。この態様に係る光ピックアップ装置は、第１のレーザ光を出射する第１のレーザ発光部と、第２のレーザ光を出射する第２のレーザ発光部と、第３のレーザ光を出射する第３のレーザ発光部を同一パッケージ内に収容するとともに、前記第１、第２および第３のレーザ発光部から同一方向に前記レーザ光を出射するレーザ光源と、前記第１、第２および第３のレーザ発光部からそれぞれ出射された前記第１、第２および第３のレーザ光を第１、第２および第３の開口数でそれぞれに対応するディスク上に収束させるとともに、前記ディスクによって反射された前記各レーザ光を光検出器に導く光学系と、前記光学系に配置され、前記光検出器の受光面上において前記第１のレーザ光と前記第２のレーザ光の光軸を一致させる光軸調整素子と、を備える。前記第１、第２および第３の開口数のうち、前記第１の開口数が最も大きく前記第３の開口数が最も小さく、前記光検出器は、前記光軸調整素子によって光軸が一致された第１および第２のレーザ光を受光する第１のセンサ部と、前記第３のレーザ光を受光する第２センサ部とを有する。
【発明の効果】
【０００７】
本発明によれば、異なる波長の３つのレーザ光が一つの半導体レーザから出射される場合に、光検出器の受光面上において、各波長のレーザ光のスポット径を大きくすることが可能な光ピックアップ装置を提供することができる。
【０００８】
本発明の特徴は、以下に示す実施の形態により更に明らかとなろう。ただし、以下の実施の形態は、あくまでも本発明の一つの実施形態であって、本発明ないし各構成要件の用語の意義は、以下の実施の形態により何ら制限されるものではない。
【図面の簡単な説明】
【０００９】
【図１】実施例１係る光ピックアップ装置の光学系を示す図である。
【図２】実施例１に係る受光面上における照射位置を説明する図および受光面上に配される４分割センサを示す図である。
【図３】実施例に係るレーザ光の収束状態および受光面状のスポットの形状を示す図である。
【図４】比較例１に係る４分割センサの受光面積とスポット径の大きさの関係を示す図である。
【図５】比較例２および実施例１に係る４分割センサの受光面積とスポット径の大きさの関係を示す図である。
【図６】実施例２係る光ピックアップ装置の光学系および受光面状に配される４分割センサを示す図である。
【図７】比較例３および実施例２に係る４分割センサの受光面積とスポット径の大きさの関係を示す図である。
【図８】比較例４および変更例に係る４分割センサの受光面積とスポット径の大きさの関係を示す図である。
【発明を実施するための形態】
【００１０】
本実施の形態は、ＢＤ（Blu-ray Disc）、ＤＶＤ（Digital Versatile Disc）およびＣＤ（Compact Disc）にレーザ光を照射する光ピックアップ装置に本発明を適用したものである。
【００１１】
＜実施例１＞
図１（ａ）、（ｂ）に、実施例１に係る光ピックアップ装置１の光学系を示す。図１（ａ）は、光学系を光ピックアップ装置１の上側から（ｙ軸正方向に）見た場合の平面図、図１（ｂ）は、対物レンズアクチュエータ１２２周辺部分を側面側から見た内部透視図、図１（ｃ）は、半導体レーザ１０１における発光部の配置状態を示す図である。
【００１２】
図１（ａ）を参照して、光ピックアップ装置１は、半導体レーザ１０１と、回折格子１０２と、偏光ビームスプリッタ（ＰＢＳ）１０３と、１／４波長板１０４と、コリメータレンズ１０５と、レンズアクチュエータ１０６と、立ち上げミラー１０７と、対物レンズ１０８と、回折光学素子（ＤＯＥ）１０９と、非点収差板１１０と、光検出器１１１を備える。
【００１３】
半導体レーザ１０１は、波長４００ｎｍ程度のレーザ光（以下、「ＢＤ光」という）と、波長６５０ｎｍ程度のレーザ光（以下、「ＤＶＤ光」という）と、波長７８０ｎｍ程度のレーザ光（以下、「ＣＤ光」という）を同一方向に出射する。
【００１４】
図１（ｃ）に示すように、半導体レーザ１０１は、一つのパッケージに、ＢＤ光、ＤＶＤ光、ＣＤ光をそれぞれ出射する発光部１０１ａ、１０１ｂ、１０１ｃを備える。発光部１０１ｂ、１０１ｃは、基板１０１ｅ上に、間隔がｂとなるように一体的に形成されている。発光部１０１ａは、基板１０１ｅとは異なる基板１０１ｄ上に、発光部１０１ａ、１０１ｂの間隔がａとなるように形成されている。基板１０１ｄ、１０１ｅは、サブマウント１０１ｆ上に設置されている。発光部１０１ａ〜１０１ｃは、一直線上に並ぶように形成されている。半導体レーザ１０１以降の光学系は、その光軸が、ＢＤ光、ＤＶＤ光、Ｃ
Ｄ光の何れか一つの光軸に整合するように調整されている。また、本実施例では、ａ、ｂは何れも９０μｍ（０．０９ｍｍ）に設計されている。
【００１５】
回折格子１０２は、半導体レーザ１０１から出射されたＢＤ光、ＤＶＤ光、ＣＤ光のうちＢＤ光のみをメインビームと２つのサブビームに分割する。回折格子１０２には、ＢＤ光の３つのビームがディスクのトラックに沿うよう回折溝が形成されている。なお、ＤＶＤ光とＣＤ光も回折格子１０２による回折作用を受けるが、これら光のサブビームの強度は、極めて小さくなっている。
【００１６】
ＰＢＳ１０３は、半導体レーザ１０１の出射光軸に対して４５°傾くように配置され、回折格子１０２側から入射されたレーザ光を反射する。ＰＢＳ１０３は、入射面と出射面が正方形の輪郭を有する薄板状の平行平板となっており、その入射面に、偏光膜が形成されている。半導体レーザ１０１は、ＢＤ光、ＤＶＤ光、ＣＤ光の偏光方向がＰＢＳ１０３に対してＳ偏光となるように配置されている。
【００１７】
１／４波長板１０４は、ＰＢＳ１０３によって反射されたレーザ光を円偏光に変換するとともに、ディスクからの反射光を、ディスクへ向かうときの偏光方向に直交する直線偏光に変換する。これにより、ディスクによって反射されたレーザ光はＰＢＳ１０３を透過して光検出器１１１へと導かれる。
【００１８】
コリメータレンズ１０５は、ＰＢＳ１０３によって反射されたレーザ光を平行光に変換する。レンズアクチュエータ１０６は、１／４波長板１０４とコリメータレンズ１０５を、コリメータレンズ１０５の光軸方向に駆動する。コリメータレンズ１０５が移動されることにより、レーザ光に生じる収差が補正される。
【００１９】
立ち上げミラー１０７は、コリメータレンズ１０５側から入射されたレーザ光を対物レンズ１０８に向かう方向（ｙ軸負方向）に反射する。対物レンズ１０８は、ホルダ１２１に保持され、ホルダ１２１は、対物レンズアクチュエータ１２２によって、フォーカス方向（ｙ軸方向）およびトラッキング方向（ディスクのラジアル方向）に駆動される。これにより、対物レンズ１０８が、フォーカス方向およびトラッキング方向に駆動される。
【００２０】
なお、コリメータレンズ１０５側から立ち上げミラー１０７に入射するレーザ光の光軸は、ディスクのタンジェンシャル方向に対して垂直となっている。また、立ち上げミラー１０７からディスクに向かうＢＤ光のメインビームと２つのサブビームの並び方向は、ディスクのタンジェンシャル方向と一致している。
【００２１】
ディスクからの反射光は、１／４波長板１０４によりＰＢＳ１０３に対してＰ偏光となる直線偏光に変換される。これにより、ディスクからの反射光は、ＰＢＳ１０３を透過する。上記のように、ＰＢＳ１０３は、ＢＤ光、ＤＶＤ光、ＣＤ光の光軸に対して４５度傾くように配置されている。このため、ＢＤ光、ＤＶＤ光、ＣＤ光が図１（ａ）のように収束状態でＰＢＳ１０３を透過すると、これらの光に非点収差が導入される。
【００２２】
ＤＯＥ１０９は、ＢＤ光に対しては＋１次の回折効率が高く、ＤＶＤ光、ＣＤ光に対しては０次の回折効率が高くなるよう設計されている。すなわち、ＤＯＥ１０９は、回折作用により、主としてＢＤ光の進行方向を変化させる、波長選択性の回折格子である。各回折次数における回折角は、回折構造のピッチを変えることにより調整され、各回折次数における回折効率は、回折構造の高さを変えることにより調整される。ＢＤ光の＋１次回折光は、ＤＯＥ１０９によってＤＶＤ光の光軸に近づく方向（ｙ軸正方向）に曲げられる。これにより、ＢＤ光のメインビームの光軸は、光検出器１１１の受光面上において、ＤＶＤ光の光軸と一致することになる。
【００２３】
非点収差板１１０は、平行平板であり、ＢＤ光、ＤＶＤ光、ＣＤ光の光軸に対して傾くように配置されている。このように非点収差板１１０が傾けられることにより、非点収差板１１０によっても、ＢＤ光、ＤＶＤ光、ＣＤ光に非点収差が導入される。ここで、非点収差板１１０は、オンフォーカス時に、レーザ光のスポット形状が光検出器１１１の受光面上において円形となり、オフフォーカス時に、レーザ光のスポット形状が、光検出器１１１の受光面上において、長軸がｘ軸とｙ軸に対して４５°の傾きを持つ楕円形状となるよう、光学作用（屈折率、厚み等）と傾きが調整されている。
【００２４】
光検出器１１１の受光面は、ｘｙ平面に平行であり、かかる受光面上には、ＢＤ光、ＤＶＤ光、ＣＤ光が照射される位置に、４分割センサが配置されている。光検出器１１１の受光面上に配置される４分割センサについては、追って図２（ｂ）を参照して説明する。
【００２５】
図１（ａ）、（ｂ）に示す光学系は、半導体レーザ１０１からディスクまでの往路の倍率とディスクから光検出器１１１までの復路の倍率が、略同倍率となるよう調整されている。
【００２６】
図２（ａ）は、光検出器１１１の受光面上におけるＢＤ光、ＤＶＤ光、ＣＤ光の照射位置を説明する図である。なお、図２（ａ）では、ＤＯＥ１０９と光検出器１１１の受光面との間に配される非点収差板１１０の図示が、便宜上、省略されており、ＤＯＥ１０９の入射面と出射面の輪郭は、便宜上、正方形となっている。
【００２７】
ＢＤ光、ＤＶＤ光、ＣＤ光は、この順に、ｙ軸正方向に並んだ状態でＤＯＥ１０９に入射する。ＤＯＥ１０９に入射するＢＤ光は、回折格子１０２によってメインビームとサブビームに分割されている。これら３つのビームの並び方向は、ディスクのタンジェンシャル方向に対応する方向となっている。
【００２８】
ＤＯＥ１０９に入射するＢＤ光の３つのビームは、ＤＯＥ１０９の回折作用によりｙ軸正方向に曲げられる。なお、ＢＤ光の＋１次以外の回折光と、ＤＶＤ光とＣＤ光の０次以外の回折光の光量は小さいため、図２（ａ）では便宜上図示されていない。
【００２９】
ＤＯＥ１０９の回折作用により生じるＢＤ光の３つのビームの＋１次回折光は、ｚ軸正方向にｙ軸正方向の成分が加えられた方向に進む。また、ＤＶＤ光とＣＤ光の０次回折光はｚ軸正方向に進む。このように、ＤＯＥ１０９の回折作用により、光検出器１１１の受光面上において、ＢＤ光のメインビームの光軸と、ＤＶＤ光の光軸が一致する。
【００３０】
図２（ｂ）は、光検出器１１１の受光面上に配される４分割センサＳ１〜Ｓ４を示す図である。なお、図２（ｂ）は、光検出器１１１を正面から（ｚ軸正方向に）見た場合の４分割センサＳ１〜Ｓ４を示している。また、図２（ｃ）は、比較例として、ＢＤ光の光軸が、ＤＯＥ１０９により回折されない場合の４分割センサＳＢ、ＳＤ、ＳＣを示す図である。なお、図２（ｃ）の場合、サブビーム用の４分割センサは、図示省略されている。
【００３１】
図２（ｂ）を参照して、４分割センサＳ１は、ＢＤ光のメインビームとＤＶＤ光を受光し、４分割センサＳ２、Ｓ３は、ＢＤ光の２つのサブビームを受光し、４分割センサＳ４は、ＣＤ光を受光する。４分割センサＳ１〜Ｓ３は、これら３つの４分割センサの並び方向が、図２（ａ）に示すＢＤ光の３つのビームの並び方向と同じ方向（ｘ軸方向）となるように配されている。４分割センサＳ４は、発光部１０１ａ〜１０１ｃの並び方向と同じ方向（ｙ軸方向）に、４分割センサＳ１と隣り合うように配される。４分割センサＳ１、Ｓ４は、正方形状であり、４分割センサＳ２、Ｓ３は、正方形の角が切り欠かれた形状である。ＢＤ光が用いられる場合、４分割センサＳ１〜Ｓ４を構成する各センサからの出力
により、再生ＲＦ信号、フォーカスエラー信号、トラッキングエラー信号が生成される。
【００３２】
図２（ｃ）に示す比較例の場合、ＢＤ光の光軸が回折により曲げられないため、ＢＤ光のメインビームを受光する４分割センサＳＢと、ＤＶＤ光を受光する４分割センサＳＤと、ＣＤ光を受光する４分割センサＳＣは、ｙ軸方向に一直線上に並んで配されている。
【００３３】
ここで、上述の如く、本実施例では、光学系の往路と復路の倍率が同倍率となるように構成されているため、ＢＤ光の受光中心とＤＶＤ光の受光中心との間隔ａ’は、発光部１０１ａ、１０１ｂとの間隔ａと略同程度となる。同様に、ＤＶＤ光の受光中心とＣＤ光の受光中心との間隔ｂ’は、発光部１０１ｂ、１０１ｃとの間隔ｂと略同程度となる。すなわち、本実施例では、発光部１０１ａ〜１０１ｃの間隔ａ、ｂとＢＤ光とＤＶＤ光の間隔ａ’、ＤＶＤ光とＣＤ光の間隔ｂ’は、以下の式（１）、（２）で示される。
【００３４】
ａ’≒ａ＝０．０９  （ｍｍ）…（１）
ｂ’≒ｂ＝０．０９  （ｍｍ）…（２）
【００３５】
このように、各レーザ光の受光中心の間隔ａ’、ｂ’は、発光部間の間隔ａ、ｂに応じた距離に固定される。このため、４分割センサＳＢ、ＳＤ、ＳＣの受光面積の大きさは、間隔ａ’、ｂ’によって制限され、このため、４分割センサＳＢ、ＳＤ、ＳＣ上におけるレーザ光のスポット径もまた、間隔ａ’、ｂ’によって制限される。
【００３６】
受光面上におけるレーザ光のスポット径は、なるべく大きい方が望ましい。レーザ光のスポット径が小さいと、経年変化等によって光検出器１１１に位置ずれが生じた場合に、光検出器１１１から出力される検出信号の変動（誤差）が大きくなり、位置ずれによるフォーカスエラー信号およびトラッキングエラー信号の劣化が大きくなり易い。このため、レーザ光を受光する４分割センサの大きさをなるべく大きくして、受光面上における各レーザ光のスポット径を大きくするのが望ましい。なお、受光面上におけるレーザ光のスポット径は、非点収差板１１０によるレンズ作用（厚みや屈折率、傾き等）を調整することにより変化させることができる。
【００３７】
そこで、本実施例では、上述のように、ＤＯＥ１０９によって、ＢＤ光を回折させて、ＢＤ光を、ＤＶＤ光を受光する４分割センサに導くことで、受光面積、およびスポット径の大きさの向上が図られている。以下、図２（ｃ）の比較例のようにＢＤ光の光軸が調整されない場合と、受光面上においてＢＤ光の光軸をＤＶＤ光の光軸またはＣＤ光の光軸に一致させた場合とに分けて、４分割センサの受光面積とスポット径の設計可能な最大値を比較検討する。
【００３８】
図３（ａ）は、光検出器１１１の４分割センサＳに照射されるレーザ光（ディスクによって反射されたレーザ光）の収束状態を示す図である。図３（ｂ）は、４分割センサＳの大きさと、４分割センサＳＢ上のスポットの大きさ、および形状を模式的に示す図である。なお、ディスクによって反射されたレーザ光は、コリメータレンズ１０５を透過した後、１／４波長板１０４、ＰＢＳ１０３、ＤＯＥ１０９および非点収差板１１０を透過するが、図３（ａ）では、これらの部材が、便宜上、図示省略されている。
【００３９】
図３（ａ）を参照して、レーザ光は、有効径φ０でコリメータレンズ１０５を透過し、その後、ＰＢＳ１０３および非点収差板１１０（図１（ａ）参照）により、非点収差が導入される。これにより、レーザ光は、互いに異なる位置Ｐ１、Ｐ３において焦線を結び、焦線位置Ｐ１と焦線位置Ｐ３の間の収束位置Ｐ２において、レーザ光のビームが最小錯乱円となる。
【００４０】
したがって、図３（ｂ）に示すように、収束位置Ｐ２に４分割センサＳを位置付けると、受光面上のスポットは、略真円形状となり、スポット径φは、最小となる。また、前側焦線位置Ｐ１に４分割センサＳを位置付けると、受光面上のスポットは、４分割センサＳ１の対角線Ｓａ‐Ｓｂ上に延びる略楕円形状となり、後側焦線位置Ｐ３に４分割センサＳを位置付けると、受光面上のスポットは、４分割センサＳ１の他方の対角線Ｓｃ‐Ｓｄ上に延びる略楕円形状となる。
【００４１】
ここで、４分割センサＳ上の最小スポット径φは、以下の式（３）で示される。
【００４２】
φ≒φ０×（ΔＰ／２）／Ｆｃ  …（３）
【００４３】
上記式（３）において、φ０は、コリメータレンズ１０５の有効径である。ΔＰは、前側焦線位置Ｐ１と後側焦線位置Ｐ３の距離（非点隔差）である。Ｆｃは、コリメータレンズ１０５の位置Ｐ０から最小錯乱円の位置Ｐ２までの距離（焦点距離）である。
【００４４】
また、４分割センサＳの対角線の最小寸法Ｌ０は、以下の式（４）で示される。
【００４５】
Ｌ０≒φ０×ΔＰ／Ｆｃ  …（４）
【００４６】
さらに、４分割センサＳは、上述と同様、正方形状であるため、４分割センサＳの縦横の最小寸法Ｌは、Ｌ≒Ｌ０／√２で示される。したがって、上記式（３）、（４）より、４分割センサＳの縦横の最小寸法Ｌは、最小スポット径φを利用して、以下の式（５）で示される。
【００４７】
Ｌ＝２φ／√２  …（５）
【００４８】
また、ＢＤ光のスポット径φＢと、ＤＶＤ光のスポット径φＤおよびＣＤ光のスポット径φＣは、各レーザ光に対する対物レンズ１０８の有効径の大きさにしたがい、開口数が最も大きいＢＤ光のスポット径φＢが最も大きく、開口数が最も小さいＣＤ光のスポット径φＣが最も小さくなる。本実施例では、対物レンズ１０８は、それぞれのスポット径の関係が、各レーザ光に必要な開口数に基づき、以下の式（６）を満たすように設計されている。
【００４９】
φＢ：φＤ：φＣ＝１．００：０．８４：０．６４  …（６）
【００５０】
図４は、ＢＤ光の光軸合わせをしなかった比較例１の場合の４分割センサＳＢ、ＳＤ、ＳＣの受光面積とスポット径の大きさの関係を示す図である。なお、以下において、長さの単位は、ｍｍ（ミリメートル）である。
【００５１】
ＢＤ光用の４分割センサＳＢの縦の長さＬＢ、ＤＶＤ光用の４分割センサＳＤの縦の長さＬＤと、ＢＤ光とＤＶＤ光の受光間隔ａ’との関係は、以下の式（７）で示される。
【００５２】
ａ’≧ＬＢ／２＋ＬＤ／２  …（７）
【００５３】
ここで、式（１）より、ａ’＝０．０９であり、また、式（５）、（６）より、ＬＤ＝０．８４×ＬＢであるため、４分割センサＳＢ、ＳＤの縦の長さは、ＬＢ≦０．０９８、ＬＤ≦０．０８２を満たす必要がある。
【００５４】
また、式（５）より、ＢＤ光のスポット径φＢは、φＢ≦０．０６９、ＤＶＤ光のスポット径φＤは、φＤ≦０．０５７となる。
【００５５】
次に、ＤＶＤ光用の４分割センサＳＤの縦の長さＬＤ、ＣＤ光用の４分割センサＳＣの縦の長さＬＣと、ＤＶＤ光とＣＤ光の受光間隔ｂ’の関係は、以下の式（８）で示される。
【００５６】
ｂ’≧ＬＤ／２＋ＬＣ／２  …（８）
【００５７】
ここで、式（２）より、ｂ’＝０．０９であるため、４分割センサＳＣの縦の長さは、ＬＣ≦０．０９８を満たす必要がある。
【００５８】
また、式（６）より、φＣ＝０．６４×φＢのため、ＣＤ光のスポット径φＣは、φＣ≦０．０４４となる。
【００５９】
以上をまとめると、ＢＤ光の光軸合わせをしなかった場合、設計可能な４分割センサＳＢ、ＳＤ、ＳＣの縦の長さとスポット径の最大値の関係は、以下の表１のようになる。
【００６０】
【表１】
2015109117.tif 000003
表１において、ＣＤ光を受光する４分割センサＳＣの縦の長さの最大値は、ＢＤ光を受光する４分割センサＳＢの最大値と同じであるが、上記式（６）により、ＣＤ光のスポット径φＣの大きさがＢＤ光のスポット径φＢによって制限されるため、ＣＤ光のスポット径φＣの大きさの最大値は、０．０４４に留まっている。
【００６１】
図５（ａ）は、ＢＤ光の光軸をＣＤ光の光軸に一致させた比較例２の場合の４分割センサＳＢ／ＳＣ、ＳＤの受光面積とスポット径の大きさの関係を示す図である。４分割センサＳＢ／ＳＣは、ＢＤ光とＣＤ光の両方を受光する。
【００６２】
ＢＤ光の光軸をＣＤ光の光軸に一致させた場合、ＢＤ光／ＣＤ光用の４分割センサＳＢ／ＳＣの縦の長さは、ＬＢ＝ＬＣとなる。したがって、ＢＤ光／ＣＤ光用の４分割センサＳＢ／ＳＣの縦の長さと、ＤＶＤ光用の４分割センサＳＤの縦の長さＬＤと、ＢＤ光／ＣＤ光とＤＶＤ光の受光間隔ｂ’の関係は、以下の式（９）で示される。
【００６３】
ｂ’≧ＬＤ／２＋ＬＢ／２  …（９）
【００６４】
ここで、式（２）より、ｂ’＝０．０９であり、また、式（５）、（６）より、ＬＤ＝０．８４×ＬＢであるため、４分割センサＳＢ／ＳＣ、ＳＤの縦の長さは、ＬＤ≦０．０８２、ＬＢ≦０．０９８、ＬＣ≦０．０９８を満たす必要がある。
【００６５】
また、式（５）より、ＤＶＤ光のスポット径φＤは、φＤ≦０．０５８、ＢＤ光のスポット径φＢは、φＢ≦０．０６９となる。
【００６６】
さらに、式（６）より、φＣ＝０．６４×φＢのため、ＣＤ光のスポット径φＣは、φＣ≦０．０４４となる。
【００６７】
以上をまとめると、ＢＤ光の光軸をＣＤ光の光軸に一致させた場合、設計可能な４分割センサＳＢ／ＳＣ、ＳＤの縦の長さとスポット径の最大値の関係は、以下の表２のようになる。
【００６８】
【表２】
2015109117.tif 000004
表２において、ＣＤ光を受光する４分割センサＳＣの縦の長さの最大値は、ＢＤ光を受光する４分割センサＳＢの最大値と同じであるが、上記式（６）により、ＣＤ光のスポット径φＣの大きさがＢＤ光のスポット径φＢによって制限されるため、ＣＤ光のスポット径φＣの大きさの最大値は、０．０４４に留まっている。
【００６９】
図５（ｂ）は、ＢＤ光の光軸をＤＶＤ光の光軸に一致させた実施例１の場合の４分割センサＳＢ／ＳＤ、ＳＣの受光面積とスポット径の大きさの関係を示す図である。４分割センサＳＢ／ＳＤは、ＢＤ光とＤＶＤ光の両方を受光する。また、４分割センサＳＢ／ＳＤは、図２（ｂ）の４分割センサＳ１に対応し、４分割センサＳＣは、図２（ｂ）の４分割センサＳ４に対応する。
【００７０】
ＢＤ光の光軸をＤＶＤ光の光軸に一致させた場合、ＢＤ光／ＤＶＤ光用の４分割センサＳＢ／ＳＤの縦の長さは、ＬＢ＝ＬＤとなる。したがって、ＢＤ光／ＤＶＤ光用の４分割センサＳＢ／ＳＤの縦の長さと、ＣＤ光用の４分割センサＳＣの縦の長さＬＣと、ＢＤ光とＣＤ光の受光間隔ｂ’の関係は、以下の式（１０）で示される。
【００７１】
ｂ’≧ＬＢ／２＋ＬＣ／２  …（１０）
【００７２】
ここで、式（２）より、ｂ’＝０．０９であり、また、式（５）、（６）より、ＬＣ＝０．６４×ＬＢであるため、４分割センサＳＢ／ＳＤ、ＳＣの縦の長さは、ＬＢ≦０．１１０、ＬＤ≦０．１１０、ＬＣ≦０．０７０を満たす必要がある。
【００７３】
また、式（５）より、ＢＤ光のスポット径φＢは、φＢ≦０．０７８、ＣＤ光のスポット径φＣは、φＣ≦０．０４９となる。
【００７４】
さらに、式（６）より、φＤ＝０．８４×φＢのため、ＤＶＤ光のスポット径φＤは、φＤ≦０．０６５となる。
【００７５】
以上をまとめると、ＢＤ光の光軸をＤＶＤ光の光軸に一致させた場合、設計可能な４分割センサＳＢ／ＳＤ、ＳＣの縦の長さとスポット径の最大値の関係は、以下の表３のようになる。
【００７６】
【表３】
2015109117.tif 000005
表１と表２とを比較すると、設計可能な４分割センサの縦の長さの最大値とスポット径の最大値は、比較例１と比較例２とで同じである。したがって、ＢＤ光の光軸をＣＤ光の光軸に一致させても、受光面上における各レーザ光のスポット径は、比較例１に比べて拡大されない。
【００７７】
これに対し、表１と表３とを比較すると、スポット径の最大値は、比較例１よりも実施例１の方が大きくなっている。したがって、本実施例のように、ＢＤ光の光軸をＤＶＤ光の光軸に一致させると、受光面上における各レーザ光のスポット径を、比較例１よりも拡大させることができる。
【００７８】
このように、実施例において、各レーザ光のスポット径を拡大できたのは、以下の理由による。
【００７９】
各レーザ光のスポット径は、上記式（６）の制限を受ける。このため、最も大きいＢＤ光のスポット径φＢを拡大できれば、その他のレーザ光のスポット径も拡大することができる。他方、各レーザ光のスポット径は、上記式（５）から、各レーザ光を受光する４分割センサの縦の長さに応じて変化する。よって、ＢＤ光を受光する４分割センサの縦の長さを拡大できれば、ＢＤ光のスポット径φＢが拡大され、その結果、他のレーザ光のスポット径も拡大できる。
【００８０】
比較例１の場合、図４に示すように、最も大きいサイズを要する４分割センサＳＢと、その次に大きいサイズを要する４分割センサＳＤとが隣り合っている。比較例１では、このように、サイズの大きい２つの４分割センサＳＢ、ＳＤを間隔ａ’内に収めなくてはならないため、４分割センサＳＢ、ＳＤのサイズが制限される。このため、４分割センサＳＢの縦の長さＬＢを拡大できず、よって、ＢＤ光のスポット径を大きくすることができない。
【００８１】
比較例２の場合、図５（ｂ）のように、ＢＤ光は、ＣＤ光とともに４分割センサＳＢ／ＳＣに照射される。この場合、４分割センサＳＢ／ＳＣは、ＣＤ光とともにＢＤ光も受光するため、ＢＤ光に応じたサイズが要求される。したがって、比較例１と同様、最もサイズが大きい４分割センサＳＢ／ＳＣと、次にサイズが大きいＤＶＤ光用の４分割センサＳＤとが隣り合うこととなる。このため、比較例２においても、サイズの大きい２つの４分割センサＳＢ／ＳＣと４分割センサＳＤを間隔ｂ’内に収めなければならず、このため、４分割センサＳＢ／ＳＣ、ＳＤのサイズが制限される。したがって、比較例１と同様、ＢＤ光を受光する４分割センサの縦の長さを拡大できず、よって、ＢＤ光のスポット径を大きくすることができない。
【００８２】
これに対し、実施例１の場合には、図５（ｂ）のように、ＢＤ光が、ＤＶＤ光とともに
、４分割センサＳＢ／ＳＤに照射される。この場合、４分割センサＳＢ／ＳＤは、ＤＶＤ光とともにＢＤ光も受光するため、ＢＤ光に応じたサイズが要求される。しかしながら、この場合、４分割センサＳＢ／ＳＤは、最も小さいサイズを要するＣＤ光用の４分割センサＳＣと隣り合うため、サイズが小さい４分割センサＳＣとの関係から、サイズが設定されれば良い。このため、間隔ｂ’による制限を受けても、４分割センサＳＣのサイズが小さいため、比較例１、２に比べて、４分割センサＳＢ／ＳＤの大きさを拡大することができる。したがって、実施例１では、ＢＤ光を受光する４分割センサの縦の長さを拡大でき、ＢＤ光のスポット径を大きくすることができる。
【００８３】
＜実施例１の効果＞
実施例１によれば、以下の効果が奏され得る。
【００８４】
ＤＯＥ１０９によって、ＢＤ光が、ＤＶＤ光の４分割センサＳＤに位置付けられるため、上記のように、対応する４分割センサ上における各レーザ光のスポット径を大きくすることができる。したがって、レーザ光の受光位置がずれても、光検出器１１１から出力される検出信号の変動を抑制でき、フォーカスエラー信号およびトラッキングエラー信号の劣化を抑制することができる。
【００８５】
また、本実施例によれば、ＢＤ光のメインビームとＤＶＤ光が共通の４分割センサＳ１で受光されるため、図２（ｂ）に示すようにセンサレイアウトを簡略化することができ、光検出器１１１を小型化することができる。
【００８６】
＜実施例２＞
上記実施例１には、コリメータレンズ１０５側から立ち上げミラー１０７に入射するレーザ光の光軸が、図２（ａ）のディスクのタンジェンシャル方向に対して垂直であったが、実施例２では、コリメータレンズ１０５側から立ち上げミラー１０７に入射するレーザ光の光軸のタンジェンシャル方向に対する傾き角が６７．５度となっている。
【００８７】
図６（ａ）、（ｂ）に、実施例２に係る光ピックアップ装置１の光学系を示す。図６（ａ）は光学系を光ピックアップ装置１の上側から（ｙ軸正方向に）見た場合の平面図、図６（ｂ）は対物レンズアクチュエータ１２２周辺部分を側面側から見た内部透視図、図６（ｃ）は光検出器１１１を正面から（ｚ軸正方向に）見た場合の４分割センサＳ１〜Ｓ４を示している。なお、各部材は、実施例１と同じ符号が付されており、実施例１と同様のもので構成されているため、詳細な説明は省略する。
【００８８】
図６（ａ）に示すように、コリメータレンズ１０５側から立ち上げミラー１０７に入射するレーザ光の光軸は、ディスクのタンジェンシャル方向に対して６７．５度傾いている。それに伴い、回折格子１０２は、ＢＤ光のメインビームと２つのサブビームがタンジェンシャル方向に平行となるよう、光軸を軸とする回転方向の位置が調整され、また、図６（ｃ）に示すように、４分割センサＳ１〜Ｓ３は、ＢＤ光の３つのビームの並び方向に並ぶよう傾いて配されている。４分割センサＳ４は、ｙ軸方向に、４分割センサＳ１と隣り合うように配されている。これら４分割センサＳ１〜Ｓ４は、それぞれ、一方の分割線が、タンジェンシャル方向に対応する方向に平行となるように配置されている。したがって、当該一方の分割線は、４分割センサＳ１、Ｓ４の並び方向に対して６７．５度の角度をもっている。
【００８９】
図７（ａ）は、実施例２のレイアウトにおいて、ＢＤ光の光軸合わせをしなかった比較例３の場合の４分割センサＳＢ、ＳＤ、ＳＣの受光面積とスポット径の大きさの関係を示す図である。
【００９０】
ＢＤ光用の４分割センサＳＢの縦の長さＬＢ、ＤＶＤ光用の４分割センサＳＤの縦の長さＬＤと、ＢＤ光とＤＶＤ光の受光間隔Ａ’との関係は、以下の式（１１）、（１２）で示される。
【００９１】
Ａ’≧ＬＢ／２＋ＬＤ／２  …（１１）
Ａ’＝ａ’×ｓｉｎθ  …（１２）
【００９２】
ここで、式（１）より、ａ’＝０．０９であり、４分割センサＳＢ、ＳＤの並び方向に垂直な方向からの傾きθは、６７．５度のため、Ａ’＝０．０８３となる。また、式（５）、（６）より、ＬＤ＝０．８４×ＬＢであるため、４分割センサＳＢ、ＳＤの縦の長さ（４分割センサＳＢ、ＳＤの並び方向に垂直な方向からの傾き方向に垂直な方向の長さ）は、ＬＢ≦０．０９０、ＬＤ≦０．０７６を満たす必要がある。
【００９３】
また、式（５）より、ＢＤ光のスポット径φＢは、φＢ≦０．０６４、ＤＶＤ光のスポット径φＤは、φＤ≦０．０５３となる。
【００９４】
次に、ＤＶＤ光用の４分割センサＳＤの縦の長さＬＤ、ＣＤ光用の４分割センサＳＣの縦の長さＬＣと、ＤＶＤ光とＣＤ光の受光間隔Ｂ’の関係は、以下の式（１３）、（１４）で示される。
【００９５】
Ｂ’≧ＬＤ／２＋ＬＣ／２  …（１３）
Ｂ’＝ｂ’×ｓｉｎθ  …（１４）
【００９６】
ここで、式（２）より、ｂ’＝０．０９であり、４分割センサＳＤ、ＳＣの並び方向に垂直な方向からの傾きθは、６７．５度のため、Ｂ’＝０．０８３となる。したがって、式（１３）より、４分割センサＳＣの縦の長さ（４分割センサＳＣの傾き方向に垂直な方向の長さ）は、ＬＣ≦０．０９０を満たす必要がある。
【００９７】
また、式（６）より、φＣ＝０．６４×φＢのため、ＣＤ光のスポット径φＣは、φＣ≦０．０４１となる。
【００９８】
以上をまとめると、ＢＤ光の光軸合わせをしなかった場合、設計可能な４分割センサＳＢ、ＳＤ、ＳＣの縦の長さとスポット径の最大値の関係は、以下の表４のようになる。
【００９９】
【表４】
2015109117.tif 000006
図７（ｂ）は、ＢＤ光の光軸をＤＶＤ光の光軸に一致させた実施例２の場合の４分割センサＳＢ／ＳＤ、ＳＣの受光面積とスポット径の大きさの関係を示す図である。４分割センサＳＢ／ＳＤは、ＢＤ光とＤＶＤ光の両方を受光する。
【０１００】
ＢＤ光の光軸をＤＶＤ光の光軸に一致させた場合、ＢＤ光／ＤＶＤ光用の４分割センサＳＢ／ＳＤの縦の長さは、ＬＢ＝ＬＤとなる。したがって、ＢＤ光／ＤＶＤ光用の４分割センサＳＢ／ＳＤの縦の長さと、ＣＤ光用の４分割センサＳＣの縦の長さＬＣと、ＢＤ光とＣＤ光の受光間隔Ｂ’の関係は、以下の式（１５）、（１６）で示される。
【０１０１】
Ｂ’≧ＬＢ／２＋ＬＣ／２  …（１５）
Ｂ’＝ｂ’×ｓｉｎθ  …（１６）
【０１０２】
ここで、式（２）より、ｂ’＝０．０９であり、４分割センサＳＢ／ＳＤ、ＳＣの並び方向に垂直な方向からの傾きθは、６７．５度のため、Ｂ’＝０．０８３となる。また、式（５）、（６）より、ＬＣ＝０．６４×ＬＢであるため、４分割センサＳＢ／ＳＤ、ＳＣの縦の長さは、ＬＢ≦０．１０１、ＬＤ≦０．１０１、ＬＣ≦０．０６５を満たす必要がある。
【０１０３】
また、式（５）より、ＢＤ光のスポット径φＢは、φＢ≦０．０７１、ＣＤ光のスポット径φＣは、φＣ≦０．０４６となる。
【０１０４】
さらに、式（６）より、φＤ＝０．８４×φＢのため、ＤＶＤ光のスポット径φＤは、φＤ≦０．０６０となる。
【０１０５】
以上をまとめると、ＢＤ光の光軸をＤＶＤ光の光軸に一致させた場合、設計可能な４分割センサＳＢ／ＳＤ、ＳＣの縦の長さとスポット径の最大値の関係は、以下の表５のようになる。
【０１０６】
【表５】
2015109117.tif 000007
表４、表５を比較すると、上記実施例１の場合と同様、実施例２の方が、比較例３よりも４分割センサの縦の長さおよびスポット径を大きくすることができることがわかる。
【０１０７】
なお、上記実施例１および実施例２では、物理的に必要な４分割センサ間の隙間を考慮せずに、４分割センサの大きさの最大値を計算したが、実際には、各４分割センサの間には、数μｍ（たとえば、４μｍ程度）の隙間が必要となる。また、上記実施例１および実施例２では、発光部１０１ａ〜１０１ｃの間隔ａ、ｂと、４分割センサ上の受光位置の間隔ａ’、ｂ’が、ともに、０．０９であったが、間隔ａ、ｂと間隔ａ’、ｂ’が０．０９から変動する場合も想定され、また、間隔ａ、ｂが同一でなく、また、間隔ａ’、ｂ’とが同一でない場合も想定され得る。
【０１０８】
４分割センサ間に必要な隙間が４μｍ（０．００４ｍｍ）であるとすると、図７（ｂ）の実施例２の場合において、ＢＤ光／ＤＶＤ光用の４分割センサＳＢ／ＳＤの縦の長さと、ＣＤ光用の４分割センサＳＣの縦の長さＬＣと、ＢＤ光とＣＤ光の受光間隔Ｂ’の関係
は、以下の式（１７）で示される。
【０１０９】
Ｂ’≧ＬＢ／２＋ＬＣ／２＋０．００４  …（１７）
【０１１０】
ここで、ＢＤ光の受光中心とＤＶＤ光の受光中心の間隔ｂ’が、上記実施例２とは異なり、ｂ’＝０．０８８であるとすると、４分割センサＳＢ、ＳＣの傾きθは、６７．５度のため、Ｂ’＝０．０８１となる。また、式（５）、（６）より、ＬＣ＝０．６４×ＬＢであるため、４分割センサＳＢ／ＳＤ、ＳＣの縦の長さは、ＬＢ≦０．０９４、ＬＤ≦０．０９４、ＬＣ≦０．０６０を満たす必要がある。
【０１１１】
また、式（５）より、ＢＤ光のスポット径φＢは、φＢ≦０．０６６、ＣＤ光のスポット径φＣは、φＣ≦０．０４３となる。
【０１１２】
さらに、式（６）より、φＤ＝０．８４×φＢのため、ＤＶＤ光のスポット径φＤは、φＤ≦０．０５６となる。
【０１１３】
以上をまとめると、ＢＤ光の光軸をＤＶＤ光の光軸に一致させた場合において、物理的寸法を考慮すると、設計可能な４分割センサＳＢ／ＳＤ、ＳＣの縦の長さとスポット径の最大値の関係は、以下の表７のようになる。
【０１１４】
【表６】
2015109117.tif 000008
発光点間隔ｂが０．０８８である場合、物理的寸法（４分割センサ間の隙間）を考慮すると、４分割センサのサイズ（縦の長さ）の最大値と、受光面上におけるレーザ光のスポット径の最大値は、表６のようになる。このように、実際の設計においては、物理的寸法（４分割センサ間の隙間）を考慮して、４分割センサのサイズ（縦の長さ）と受光面上におけるレーザ光のスポット径が設定されることとなる。たとえば、４分割センサＳＢ／ＳＤの縦の長さ（ＬＢ、ＬＤ）が０．０９０に設定され、４分割センサＳＣの縦の長さ（ＬＣ）が０．０６０に設定される。この場合、ＢＤ光、ＤＶＤ光、ＣＤ光のスポット径φＢ、φＤ、φＣは、それぞれ、０．０６３、０．０５２、０．０４０に設定される。
【０１１５】
以上、本発明の実施の形態について説明したが、本発明は、上記実施の形態に何ら制限されるものではなく、また、本発明の実施の形態も上記以外に種々の変更が可能である。
【０１１６】
上記実施例１および実施例２では、ＢＤ光とＣＤ光を出射する発光部１０１ａ、１０１ｃが、ＤＶＤ光を出射する発光部１０１ｂを挟むように、半導体レーザ１０１に発光部１０１ａ〜１０１ｃが配置されたが、発光部１０１ａ〜１０１ｃの配列順はこれに限られるものではない。たとえば、ＢＤ光とＤＶＤ光を出射する発光部１０１ａ、１０１ｂが、ＣＤ光を出射する発光部１０１ｃを挟むように、発光部１０１ａ〜１０１ｃが半導体レーザ１０１に配置されても良い。
【０１１７】
図８（ａ）、（ｂ）は、それぞれ、上記のように半導体レーザ１０１が変更された場合の、比較例４と変更例における４分割センサＳＢ、ＳＣ、ＳＤの受光面積とスポット径の大きさの関係を示す図である。図８（ａ）の比較例４では、ＢＤ光の光軸がＣＤ光の光軸に一致され、図８（ｂ）の変更例では、ＢＤ光の光軸がＤＶＤ光の光軸に一致されている。
【０１１８】
図８（ａ）の比較例４において、上記比較例２と同様の算出過程に基づいて、４分割センサＳＢ／ＳＣ、ＳＤの縦の長さの最大値とスポット径の最大値を計算すると、以下の表９のようになる。
【０１１９】
【表７】
2015109117.tif 000009
図８（ｂ）の変更例において、上記実施例１と同様の算出過程に基づいて、４分割センサＳＢ／ＳＤ、ＳＣの縦の長さの最大値とスポット径の最大値を計算すると、以下の表１０のようになる。
【０１２０】
【表８】
2015109117.tif 000010
表７と表８とを比較すると、ＢＤ光の光軸をＤＶＤ光の光軸に一致させた方が、ＣＤ光の光軸に一致させるよりも、各レーザ光のスポット径を拡大できることが分かる。また、表８に示された４分割センサＳＢ／ＳＤ、ＳＣの縦の長さの最大値とスポット径の最大値は、上記実施例１における表３における４分割センサＳＢ／ＳＤ、ＳＣの縦の長さの最大値とスポット径の最大値と同じである。
【０１２１】
このように、半導体レーザ１０１における発光部１０１ａ〜１０１ｃの配列が変更された場合も、ＢＤ光の光軸をＤＶＤ光の光軸に一致させることにより、各レーザ光のスポット径を拡大することができる。
【０１２２】
なお、図８（ｂ）の変更例では、図５（ｂ）の実施例１に比べて、ＢＤ光の光軸を光検出器１１１の受光面上において大きく移動させる必要がある。このため、変更例において
、実施例１と同様の特性を有するＤＯＥ１０９が用いられる場合には、光検出器１１１とＤＯＥ１０９との距離を広げる必要があり、光検出器１１１とＰＢＳ１０３との間の距離が小さい場合には、ＤＯＥ１０９の配置が困難になる場合がある。この点を考慮すると、ＢＤ光の発光部１０１ａとＤＶＤ光の発光部１０１ｂは、図１のように、隣り合っているのが望ましい。
【０１２３】
また、上記実施例１、２では、ＤＯＥ１０９によりＢＤ光を回折させたがこれに限られるものではない。たとえば、図８（ｂ）の変更例において、ＤＶＤ光を回折させてＤＶＤ光の光軸をＢＤ光の光軸に一致させても良い。
【０１２４】
また、上記実施例１、２では、φＢ：φＤ：φＣ＝１．００：０．８４：０．６４に設定されたが、φＢ、φＤ、φＣの比は、これに限定されるものではなく、光学系の設計に基づいて、適宜、変更され得る。
【０１２５】
また、上記実施例１、２では、４分割センサは、正方形状のものが用いられたが、長方形状や、円形状等、その他の形状であっても良い。
【０１２６】
さらに、上記実施例１、２では、発光部が略等間隔の半導体レーザが用いられたが、等間隔でないものが用いられても良い。
【０１２７】
この他、本発明の実施の形態は、特許請求の範囲に示された技術的思想の範囲内において、適宜、種々の変更が可能である。
【符号の説明】
【０１２８】
１  …  光ピックアップ装置
１０１  …  半導体レーザ（レーザ光源）
１０１ａ  …  発光部（第１のレーザ発光部）
１０１ｂ  …  発光部（第２のレーザ発光部）
１０１ｃ  …  発光部（第３のレーザ発光部）
１０１ｆ  …  サブマウント（パッケージ）
１０９  …  ＤＯＥ（光軸調整素子）
１１１  …  光検出器
Ｓ１、ＳＢ／ＳＤ  …  ４分割センサ（第１のセンサ部、第１の４分割センサ）
Ｓ４、ＳＣ  …  ４分割センサ（第２のセンサ部、第２の４分割センサ）
【図１】
2015109117.tif 000011
【図２】
2015109117.tif 000012
【図３】
2015109117.tif 000013
【図４】
2015109117.tif 000014
【図５】
2015109117.tif 000015
【図６】
2015109117.tif 000016
【図７】
2015109117.tif 000017
【図８】
2015109117.tif 000018